(57)【要約】      （修正有）【課題】呼吸低下事象および／または呼吸低下の重症度を判定するための呼吸低下検出装置を提供する。【解決手段】呼吸低下検出装置により、測定された呼吸フロー信号の計算された短期の分散が、測定された呼吸フロー信号の計算された長期の分散の第１および第２の割合と比較される。第１の期間において、第１の測定値が、第１および第２の割合の範囲を下回っているとともに、この範囲を超えていない場合には、呼吸低下の検出を示すことが可能である。【選択図】図２
2016027882.tif 000002
【特許請求の範囲】
【請求項１】
測定された呼吸可能ガスのフローを表すデータにアクセスするための、少なくとも１つのプロセッサを有するコントローラを備えており、
前記コントローラが、さらに、
前記データにおける短期の分散から第１の測定値を判定し、
前記データにおける長期の分散から第２の測定値を判定し、
前記第１の測定値を、前記第２の測定値における第１および第２の割合と比較し、
前記第１の測定値が、前記第１の割合を下回っているとともに、その後の第１の期間において、前記第１および第２の割合の範囲を超えていない場合に、前記比較に基づいて、前記呼吸低下の検出を示す、ように構成されている、
呼吸低下検出装置。
【請求項２】
前記第１の割合が前記第２の割合よりも小さくなっており、前記コントローラが、さらに、前記第１の期間において、前記第１の測定値が前記第１の割合を超えていない場合に、呼吸低下の検出を示すように構成されている、請求項１に記載の装置。
【請求項３】
前記第１の割合が前記第２の割合よりも小さくなっており、前記コントローラが、さらに、前記第１の期間において、前記第１の測定値が、前記第１の割合を超えているけれども、前記第２の割合を超えていない場合に、呼吸低下の検出を示すように構成されている、請求項１に記載の装置。
【請求項４】
前記コントローラが、さらに、前記データからフロー制限の測定値を検出するように構成されており、前記呼吸低下における前記検出を示すことが、さらに、閉塞性を示しているフロー制限の前記測定値に基づいている、請求項１に記載の装置。
【請求項５】
測定された呼吸可能ガスのフローから呼吸低下を検出するための装置であって、測定された呼吸可能ガスのフローを表すデータにアクセスするための、少なくとも１つのプロセッサを有するコントローラを備えており、
前記コントローラが、さらに、
前記測定されたフローから換気量の長期の測定値を判定し、
前記測定されたフローから換気量の短期の測定値を判定し、
換気量の前記長期の測定値の割合としての閾値を決定し、
換気量の前記短期の測定値と前記閾値との第１および第２の交叉部分によって区切られている領域を測定し、
前記測定された領域を用いて、前記呼吸低下を検出するように構成されている、
装置。
【請求項６】
前記コントローラが、換気量の前記短期の測定値が前記閾値を下回ったときから、前記短期の測定値が前記閾値を超えたときまでの期間における、前記閾値と前記短期の測定値との間の差異を積分することによって、前記領域を測定するように構成されている、請求項５に記載の装置。
【請求項７】
前記コントローラが、前記短期の測定値が前記閾値を下回ったときから、前記短期の測定値が前記閾値を超えたときまでの期間における、複数のサンプル値の差分を積算することによって、前記領域を測定するように構成されており、各サンプル値の差分が、前記閾値のサンプル値と換気量の前記短期の測定値のサンプル値との間の差異である、請求項５に記載の装置。
【請求項８】
前記コントローラが、さらに、換気量の前記短期の測定値と前記閾値とを不等式によっ
て比較することによって、前記第１の交叉部分を検出したときに、前記領域の前記測定を始動するように構成されている、請求項５に記載の装置。
【請求項９】
前記コントローラが、さらに、前記領域の測定値を用いて、前記呼吸低下の重症度を示すように構成されている、請求項５に記載の装置。
【請求項１０】
測定された呼吸可能ガスのフローから呼吸低下を検出するための装置であって、測定された呼吸可能ガスのフローを表すデータにアクセスするための、少なくとも１つのプロセッサを有するコントローラを備えており、
前記コントローラが、さらに、
前記データから換気量の長期の測定値を判定し、
前記データから換気量の短期の測定値を判定し、
換気量の前記長期の測定値の割合としての閾値を決定し、
換気量の前記短期の測定値および前記閾値の関数としての呼吸低下の範囲を計算し、
前記計算された範囲を用いて、前記呼吸低下の重症度を示すように構成されている、
装置。
【請求項１１】
測定された呼吸可能ガスのフローを表すデータにアクセスするための、少なくとも１つのプロセッサを有するコントローラを備えており、
前記コントローラが、さらに、
前記測定された呼吸可能ガスのフローを表す前記データから、呼吸低下事象を検出することと、
前記測定されたフローを表す前記データにおいて、前記呼吸低下事象とともに発生する閉塞性を示す測定値を判定することと、
閉塞性を示す前記測定値を前記判定することに基づいて、前記検出された呼吸低下事象を、閉塞性あるいは中枢性に分類することと、を制御するように構成されている、
呼吸低下検出装置。
【請求項１２】
前記判定することが、部分的な閉塞を検出し、前記分類することが、閉塞性の呼吸低下事象を記録することを含んでいる、請求項１１に記載の装置。
【請求項１３】
前記コントローラが、さらに、呼吸の欠如を検出することを制御するように構成されており、前記分類することが、中枢性の呼吸低下事象を記録することを含んでいる、請求項１１に記載の装置。
【請求項１４】
前記コントローラが、さらに、検出された別の呼吸低下事象とともに発生する呼吸の欠如を検出するとともに、前記検出された呼吸の欠如に基づいて、前記検出された別の呼吸低下事象を記録することを回避するように構成されている、請求項１１に記載の装置。
【請求項１５】
患者のために大気圧よりも高い圧力で呼吸可能ガスを生成するように構成されているフロー生成器と、
フローセンサ、とをさらに備えており、
前記コントローラが、さらに、前記フローセンサを用いて、呼吸可能ガスの前記フローを測定するように構成されているとともに、前記検出された呼吸低下に基づいて、圧力治療レジメンにしたがって前記呼吸可能ガスを生成するように、前記フロー生成器を制御するように構成されている、請求項１〜１４のいずれか１項に記載の装置。
【発明の詳細な説明】
【技術分野】
【０００１】
［関連出願の相互参照］
この出願は、２００９年６月５日出願の米国仮特許出願第６１／１８４，５９２号における出願日の利益を主張する。この出願の開示内容は、参照することによって、この明細書に組み込まれている。
【０００２】
［発明の分野］
本技術は、呼吸低下を検出するための方法および装置に関する。
【背景技術】
【０００３】
閉塞性睡眠時無呼吸（ＯＳＡ）患者は、睡眠中に、反復性の無呼吸あるいは呼吸低下を呈し、これらは、患者が覚醒することのみによって終了する。呼吸低下については、睡眠時において少なくとも１０秒は続く、呼吸における部分的な減少であると考えることが可能である。１９９９年の米国睡眠医学会（ＡＡＳＭ）のガイドラインは、呼吸低下の症状を、５０％以上のフローの低下が１０秒間継続する状態か、あるいは、５０％未満のフローの減少に続いて、覚醒反応、あるいは、少なくとも３％の飽和度の低下が生じる状態と定義している。その後のＡＡＳＭのガイドラインは、換気量が３０％低下するとともに、少なくとも４％の飽和度の低下が生じることを呼吸低下の症状としてと定義している。これらの反復性の事象は、睡眠の断片化、および、交感神経システムの刺激を引き起こす。これは、その患者にとって、日中の眠気（その結果としての自動車事故の可能性を伴う）、知的活動の低下、記憶障害、抑鬱症、および高血圧症を含む、危険な結果を有する可能性がある。また、ＯＳＡ患者は、大きないびきをかくため、そのパートナの睡眠を妨げることにもなる。
【０００４】
ＯＳＡ患者のための最良の治療形態は、接続ホースおよびマスクを介してブロワ（コンプレッサ）によって付与される持続的陽気道圧（ＣＰＡＰ）である。この陽圧は、吸気中における患者の気道の狭窄を防止し、これにより、反復性の無呼吸あるいは呼吸低下、および、その後遺症を防止する。このような呼吸治療装置は、対象者の呼吸サイクル中における適切な時期に、清浄な呼吸可能ガス（通常は空気で、追加的な酸素を含んでいることも含んでいないこともある）の供給を、治療効果のある圧力で、または圧力で、患者に提供するように機能することが可能である。
【０００５】
呼吸治療装置は、典型的には、フロー生成器、空気フィルタ、マスクあるいはカニューレ、フロー生成器をマスクに接続する空気搬送コンジット、さまざまなセンサ、および、マイクロプロセッサベースのコントローラを備えている。フロー生成器は、サーボ制御されたモータおよび羽根車を備えることが可能である。このフロー生成器は、さらに、モータの速度制御に代わる、患者に搬送される圧力を変更するための手段として、大気中に空気を排出することの可能なバルブを備えることも可能である。センサは、たとえば圧力トランスデューサ、フローセンサなどを用いて、とりわけ、モータの速度、ガスの体積流量、および、出口圧力を測定する。この装置は、任意的に、空気搬送回路の経路内に、加湿素子および／または加熱素子を含むことも可能である。コントローラは、統合データの検索／転送機能および表示機能を有していることも、有していないこともあるデータ保存容量を備えることが可能である。
【０００６】
呼吸低下を治療するために、自動化された装置は、フローセンサからのデータに基づいて呼吸低下の症状を検出するためのアルゴリズムによって、実装されてきた。従来の無呼吸／呼吸低下の検出デバイスの例は、Ｄｏｄａｋｉａｎに対する米国特許第５，２９５，
４９０号、Ｌｙｎｎに対する米国特許第５，６０５，１５１号、Ｋａｒａｋａｓｏｇｌｕ
ｅｔ  ａｌ．に対する米国特許第５，７９７，８５２号、Ｒａｖｉｖ  ｅｔ  ａｌ．に対する米国特許第５，９６１，４４７号、Ａｌｌｅｎ  ｅｔ  ａｌに対する米国特許第６，１４２，９５０号、Ｒａｐｏｐｏｒｔ  ｅｔ  ａｌ．に対する米国特許第６，１６５，１３３号、Ｈａｄａｓに対する米国特許第６，３６８，２８７号、Ｈａｂｅｒｌａｎｄ  ｅｔ  ａｌ．に対する米国特許第７，１１８，５３６号において、教示されている。たとえば、このようなデバイスの１つにおいては、フロー（Ｌ／秒）信号における１０秒間あるいは１２秒間の二乗平均平方根（ＲＭＳ）が、長期平均分時換気量（Ｌ／秒）の１．２倍（たとえば、半分に分けられたフロー信号の絶対値をロー・パス・フィルタリングする）を下回った場合に、呼吸低下を検出したと見なすことが可能である。これは、通常のＲＭＳ換気量における５０％の減少にほぼ一致する。ＲＭＳ換気量における５０％の減少については、１０秒窓を使用して計算されたフロー信号における１０秒間の分散を、（０．５）２と、６０秒窓を使用して計算されたフロー信号における６０秒間の分散との積と比較することによっても、検出することが可能である。このようなデバイスは、さらに、共通の呼吸低下事象を複数回にわたって記録してしまうことを回避するため、呼吸低下を検出した後の不応期間を備えることも可能である。たとえば、デバイスは、１５秒間、あるいは、ＲＭＳ換気量が連続する１５秒間にわたって長期のＲＭＳ換気量の少なくとも４分の３に戻るまで、不応を維持することが可能である。
【発明の概要】
【発明が解決しようとする課題】
【０００７】
しかしながら、呼吸低下の症状そのものの存在の問題は、解釈に委ねられている。多くの場合に、呼吸低下の存在を記録するにあたっては、臨床医の独自性を無視することができない。したがって、自動化された装置は、症状を検出するためのさまざまな方法によって実装されている可能性がある一方で、使用されている検出基準に差異があるために、結果的に、共通の呼吸事象に関して、さまざまな呼吸低下の記録が引き起こされる可能性がある。
【０００８】
呼吸低下を検出するための別の方法であって、上気道の症状を検出するための装置および上気道の症状を治療するための装置において実装することも可能な方法を開発することが、望ましいと考えられる。
【課題を解決するための手段】
【０００９】
本技術の一部の実施形態における第１の態様は、呼吸低下および／または呼吸低下の重症度を検出するための方法およびデバイスを提供することである。
【００１０】
本技術の一部の実施形態における他の態様は、患者の呼吸フロー信号を測定する装置において、呼吸低下あるいは呼吸低下の重症度を検出することである。
【００１１】
本技術におけるさらに別の態様は、検出された呼吸低下あるいは呼吸低下の重症度の関数に基づいて、あるいは、この関数としての、持続的気道陽圧デバイスなどの呼吸治療装置における呼吸低下あるいは呼吸低下の重症度の検出を実装することである。
【００１２】
本技術における一部の実施形態は、測定された呼吸可能ガスのフローから呼吸低下を検出するためのプロセッサを制御するための方法を有する、装置あるいはコントローラを包含している。このコントローラあるいはプロセッサの方法は、測定された呼吸可能ガスのフローに基づいて、データにおける短期の分散から第１の測定値を判定するステップを含むことが可能である。これは、さらに、測定された呼吸可能ガスのフローに基づいて、データにおける長期の分散から第２の測定値を判定するステップを含むことが可能である。この第１の測定値を、第２の測定値における第１および第２の割合と比較することが可能
である。この方法を用いることにより、装置あるいはコントローラは、第１の測定値が第１の割合を下回っているとともに、その後の第１の期間において、第１および第２の割合の範囲を超えていない場合に、上記の比較に基づいて、呼吸低下の検出を示すことが可能である。
【００１３】
いくつかの実施形態では、第１の割合が第２の割合よりも小さくなっている可能性があり、この方法が、さらに、該第１の期間において、第１の測定値が第１の割合を超えていない場合に、呼吸低下の検出を示すステップを含むことが可能である。さらに、この方法は、該第１の期間において、第１の測定値が、第１の割合を超えている一方、第２の割合を超えていない場合に、呼吸低下の検出を示すステップをさらに含むことが可能である。いくつかの実施形態では、第１の測定値と第１の割合との該比較が、約１０秒から２０秒間（しかし、好ましくは１２秒間）の呼吸フローデータから計算されたＲＭＳ値が、約５０秒から７０秒間（しかし、好ましくは６０秒間）の呼吸フローデータから計算されたＲＭＳ値の約５０パーセントからなる閾値を下回っているか否かの判定を示し、該第１の期間が、約３秒から８秒間（しかし、好ましくは４秒間）である。さらに、該第２の測定値と該第２の割合との該比較は、約１０秒から１５秒間（しかし、好ましくは１２秒間）の呼吸フローデータから計算されたＲＭＳ値が、約５０秒から７０秒間（しかし、好ましくは６０秒間）の呼吸フローデータから計算されたＲＭＳ値の約７５パーセントからなる閾値を下回っているか否かの判定を示すことが可能である。
【００１４】
任意的に、第２の期間において、第１の測定値が第２の割合を超えるまで、さらなる呼吸低下の検出を遮断することも可能である。このさらなる検出を遮断するステップは、第１の測定値と第２の割合とを比較するステップを含むことができ、この比較ステップは、約１０秒から１５秒間（しかし、好ましくは１２秒間）の呼吸フローデータから計算されたＲＭＳ値が、約５０秒から７０秒間（しかし、好ましくは６０秒間）の呼吸フローデータから計算されたＲＭＳ値の約７５パーセントからなる閾値を超えているか否かの判定を表しており、さらに、該第２の期間が、約１０秒から２０秒間（しかし、好ましくは１５秒間）である。場合によっては、換気量における長期の測定値が計算される時間を、短期の測定値が計算される時間の少なくとも約３〜５倍とすることが可能である。
【００１５】
本技術における一部の実施形態は、測定された呼吸可能ガスのフローから呼吸低下を検出するようにプロセッサを制御するための方法を有する、装置あるいはコントローラを包含している。これらのプロセッサあるいはコントローラの方法は、換気量における長期の測定値および換気量における短期の測定値を判定するステップを含むことが可能である。これらのプロセッサあるいはコントローラの方法は、さらに、換気量における長期の測定値の割合としての閾値を決定するステップと、換気量における短期の測定値と該閾値との第１および第２の交叉部分によって区切られている領域を測定するステップとを、含むことが可能である。そして、この測定された領域を用いて、呼吸低下が検出される。この測定ステップは、換気量における短期の測定値が該閾値を下回ったときから、短期の測定値が該閾値を超えたときまでの期間における、該閾値と短期の測定値との間の差異を積分するステップを含むことが可能である。実施形態によっては、この測定ステップが、短期の測定値が該閾値を下回ったときから、短期の測定値が該閾値を超えたときまでの期間における、複数のサンプル差分を積算するステップを含んでいる。各サンプル差分については、該閾値のサンプルと換気量における短期の測定値のサンプルとの間の差異とすることが可能である。
【００１６】
任意的に、これらの装置あるいはコントローラの方法を、該第２の交叉部分で開始される不応期間において、さらなる呼吸低下の検出を遮断するように構成することが可能である。さらに、この方法は、換気量における短期の測定値と該閾値とを不等式によって比較することによって、該第１の交叉部分を検出したときに、該領域の測定ステップを始動す
るステップをさらに含むことが可能である。さらに、呼吸低下の検出は、該第１の交叉部分から第２の交叉部分までの時間が約１０秒間を超えることを、条件とすることも可能である。実施形態によっては、換気量における短期の測定値は、呼吸可能ガスのフローの測定値における絶対値の半値を、第１の時定数を用いてロー・パス・フィルタリングして得られる出力値とすることも可能である。同様に、換気量における長期の測定値は、呼吸可能ガスのフローの測定値における絶対値の半値を、第１の時定数よりも大きい第２の時定数を用いてロー・パス・フィルタリングして得られる出力値とすることも可能である。任意的に、上記の割合を、約７０パーセントに設定することができる。実施形態によっては、デバイスあるいは装置は、上記した領域の測定値を用いて、呼吸低下の重症度を示すことも可能である。任意的に、デバイスあるいは装置は、測定された領域を、少なくとも４％の血液酸素の飽和度を近似的に示すように選択されている閾値と比較することも可能である。
【００１７】
本技術における一部の実施形態は、測定された呼吸可能ガスのフローから呼吸低下を検出するようにプロセッサを制御するための方法を有する、装置あるいはコントローラを包含している。この方法は、このコントローラあるいはプロセッサが、換気量における長期の測定値および換気量における短期の測定値を判定するステップを含んでいる。そして、閾値が、換気量における長期の測定値の割合として決定される。そして、これらのコントローラあるいはプロセッサは、換気量における短期の測定値および該閾値の関数としての、呼吸低下の範囲を計算する。そして、この装置は、測定された範囲を用いて、呼吸低下の重症度を示す。この表示は、測定された範囲の値を出力するステップを含むことも可能である。この計算された範囲を、換気量における短期の測定値と該閾値との第１および第２の交叉部分によって区切られている計算された領域とすることも可能である。そして、この計算された領域を、任意的に、少なくとも４パーセントの血液酸素の飽和度を近似的に示すように選択されている閾値と比較することも可能である。
【００１８】
一部の実施形態では、これらの装置あるいはコントローラの方法は、さらに、測定された呼吸可能ガスのフローからフロー制限の測定値を検出することが可能であり、上記した呼吸低下における検出の表示が、さらに、閉塞性を示しているフロー制限の測定値に基づいている。
【００１９】
本技術におけるさらに別の実施形態は、測定された呼吸可能ガスのフローから呼吸低下を分類するようにプロセッサを制御するための方法を含むことが可能である。このプロセッサの方法は、測定された呼吸可能ガスのフローから呼吸低下事象を検出するステップを含むことが可能である。さらに、この方法は、呼吸低下事象とともに発生する、測定されたフローにおける閉塞性を示す測定値を判定するステップを含むことが可能である。この方法は、さらに、閉塞性を示す測定値を判定する該ステップに基づいて、検出された呼吸低下事象を、閉塞性あるいは中枢性に分類するステップを含んでいる。このような実施形態の一部では、上記の判定ステップが、部分的な閉塞を検出するステップを含んでおり、上記の分類ステップが、閉塞性の呼吸低下事象を記録するステップを含んでいる。このような実施形態の一部では、この方法は、さらに、呼吸の欠如を検出するステップを含むことも可能であり、さらに、上記の分類ステップが、この呼吸の欠如に基づいて、中枢性の呼吸低下事象を記録するステップを含むことも可能である。代替的な実施形態では、この方法は、検出された呼吸低下事象とともに発生する呼吸の欠如を検出するステップと、この呼吸の欠如に基づいて、検出された呼吸低下事象を、中枢性の呼吸低下あるいは閉塞性の呼吸低下として記録することを回避するステップと、をさらに含むことも可能である。このような場合には、この事象を、無呼吸であると判断することができる。
【００２０】
一部の実施形態では、本技術を、呼吸低下検出装置として実装することも可能である。このような装置では、これに備えられているコントローラが、測定された呼吸可能ガスの
フローを表すデータにアクセスするための、少なくとも１つのプロセッサを有することが可能である。このコントローラは、測定された呼吸可能ガスのフローを表すデータから呼吸低下事象の検出を制御するように、構成することも可能である。このコントローラは、さらに、測定されたフローを表す該データにおいて、呼吸低下事象とともに発生する閉塞性を示す測定値を判定するステップを制御するように、構成することも可能である。このコントローラは、さらに、閉塞性を示す測定値を判定する該ステップに基づいて、検出された呼吸低下事象を閉塞性あるいは中枢性の分類を制御するように、構成することも可能である。このような実施形態の一部では、上記の分類が部分的な閉塞を検出し、上記の分類が、閉塞性の呼吸低下事象を記録するステップを含んでいる。このような実施形態の一部では、コントローラが、呼吸の欠如の検出を制御するように構成することも可能であり、上記の分類が、中枢性の呼吸低下事象を記録するステップを含むことも可能である。代替的な実施形態では、コントローラが、さらに、検出された呼吸低下事象とともに発生する呼吸の欠如を判定するとともに、検出された呼吸の欠如に基づいて、上記の事象を、中枢性の呼吸低下あるいは閉塞性の呼吸低下として記録することを回避することも可能である。このような場合には、上記の事象を、無呼吸であると判断することが可能である。このような装置は、さらに、患者のために大気圧よりも高い圧力を有する呼吸可能ガスを生成するように構成されているフロー生成器、および、フローセンサを備えることも可能である。そして、コントローラが、フローセンサを用いて呼吸可能ガスのフローを測定するように構成するとともに、検出された呼吸低下に基づいて、圧力治療レジメンにしたがって呼吸可能ガスを生成するようにフロー生成器を制御するように、構成することも可能である。
【００２１】
本呼吸技術におけるさらなる機能は、以下に示す詳細な議論、図面および特許請求の範囲を検討することによって、明らかになるはずである。
【００２２】
限定のためではなく挙例のために、本技術を、以下のような添付図面の図に例示する。これらの図では、同様の要素に対しては、同様の参照番号を付している。
【図面の簡単な説明】
【００２３】
【図１】オプションのフローセンサおよびフロー生成器を有する、本技術の例示的な呼吸低下検出装置を示す図である。
【図２】呼吸低下を検出するための装置を制御する方法における、例示的な実施形態のフロー図である。
【図３】呼吸低下を検出する方法を実装することの可能な、別の例示的な装置の状態図である。
【図４】本技術の方法における例示的な実施形態の検出相関を示すグラフである。
【図５】呼吸低下および／または呼吸低下の重症度を検出するための装置を制御する方法における、他の例示的な実施形態における別のフロー図である。
【図６】呼吸低下の検出および／または呼吸低下の重症度の測定に関する、測定値のグラフを示す図である。
【図７】本技術の検出方法を実装するために適しているその例示的な部材を含んでいる、呼吸低下検出装置におけるコントローラのブロック図である。
【発明を実施するための形態】
【００２４】
図１に示されているように、本技術の実施形態は、コントローラ１０４を有する呼吸低下検出デバイスあるいは装置を備えることが可能である。このコントローラ１０４は、１つあるいは複数のプロセッサを備えており、これにより、たとえばこの明細書においてより詳細に説明されているアルゴリズムのような、特定の呼吸低下検出方法を実装している。したがって、このデバイスあるいは装置は、集積チップ、メモリ、および／または、他の制御命令、データあるいは情報の保存媒体を備えることが可能である。たとえば、上記
のような検出手法を包含しているプログラム命令を、このデバイスあるいは装置のメモリ内の集積チップにコード化することによって、特定用途向けの集積チップ（ＡＳＩＣ）を形成することが可能である。追加的あるいは代替的に、適切なデータ保存媒体を用いることによって、このような命令を、ソフトウェアあるいはファームウェアとしてロードすることも可能である。このようなコントローラあるいはプロセッサを用いることによって、このデバイスを、フロー信号からのデータを処理するために、使用することが可能である。したがって、プロセッサは、この明細書においてより詳細に論じられている実施形態において説明されているように、従前の睡眠セッションからの測定および記録されている呼吸フローデータに基づいて、呼吸低下の発生あるいは重症度の査定を制御することが可能である。代替的に、この検出は、呼吸フロー信号の測定と同時に、睡眠セッション中に実行することも可能である。したがって、一部の実施形態では、デバイスあるいは装置自体は、任意的に、実装される方法とともに使用するために、呼吸フロー信号を測定するためのフローセンサ１０６を、実装することも可能である。たとえば、呼吸フロー計、および、圧力差トランスデューサあるいは同様のデバイス、たとえば、フロー信号を導出するための、チューブあるいはダクトの束を使用しているものを用いることによって、鼻カニューレ１０８あるいはマスクに向かう、あるいはこれらを通過するフローが測定することが可能である。任意的に、フロー信号は、モータ電流センサなどの他のセンサから推定することも可能である。このモータ電流センサは、２００５年１１月２日出願のＰＣＴ／ＡＵ２００５／００１６８８、および、その国内段階である米国特許出願第１２／２９４，９５７号に記載されている。なお、これらの開示内容の全ては、相互参照することによって、この明細書に組み込まれている。
【００２５】
別の例を示すと、呼吸低下検出デバイスを、呼吸治療装置として、検出された呼吸低下に対応するための制御方法によって実装することが可能である。たとえば、図１に示されているように、検出デバイスに、任意的に、上記の制御のために適したセンサ（たとえば圧力センサ）を有するサーボ制御されたブロワなどの、フロー生成器を実装することが可能である。呼吸治療あるいは圧力治療レジメン、たとえば、ＣＰＡＰ治療に関連する治療圧力レベルを、デバイスのコントローラによって搬送することが可能である。このような治療圧力レベルを、この明細書において説明されているように、呼吸低下の症状の検出に対応して、自動的に調整することも可能である。たとえば、呼吸低下を検出したときに、特定の量だけ圧力レベルを増加させることが可能である。任意的に、このレベルを、検出された呼吸低下の重症度の関数として、比例的に増加することも可能である。たとえば、より高い重症度の測定値を伴う呼吸低下は、より低い重症度の測定値を伴う呼吸低下に比べて、より高い圧力調整値を生じさせることが可能である。他の圧力調整スキームを実装することも可能である。
【００２６】
一部の実施形態では、呼吸低下検出器は、ＡＡＳＭのガイドラインにしたがって、呼吸低下の検出を実装することが可能である。たとえば、この検出器を、約１０秒間以上にわたって約３０％以上の換気量の低下を検出するとともに、血液酸素における約４％以上の飽和度を検出したときに、呼吸低下事象を記録するように構築することが可能である。このような実施形態では、たとえば、換気量の低下は、換気量の測定値、たとえば、１回換気量、あるいは、測定された呼吸フロー信号に基づく他の同様の測定値によって、判定することが可能である。任意的に、これらの換気量の測定値は、判定された呼吸における最大吸気フローおよび／または呼吸における最大呼気フローを処理することによって、導出することも可能である。同様に、血液酸素の低下は、オプションの酸素濃度センサ（図１には示されていない）から得られる、酸素濃度信号からのデータに基づくものとすることも可能である。しかしながら、この明細書においてより詳細に論じられているように、本技術における他の実施形態を、酸素濃度センサからの酸素濃度データを分析することなく、上記したＡＡＳＭガイドラインをエミュレートするように実装することも可能である。
【００２７】
（１）例示的な検出機能
図２のフローチャートに示されているように、本技術の実施形態では、検出デバイスによる呼吸低下の症状の自動検出は、呼吸可能ガスのフローの測定値を表すデータ（すなわち呼吸フロー信号）からの分散の判定あるいは計算に基づくものとすることが可能である。たとえば、ステップ２２０において、短期の分散の計算から、第１の測定値が判定することが可能である。このような測定値の１つは、フローセンサからの呼吸フロー信号、あるいは、それに基づいて記録されているデータから得られるサンプル値の平均値の２乗を、平均平方和から差し引いたものを判定することによって、計算することが可能である。分散を計算するための、他の方法を実装することも可能である。短期の分散は、秒単位（たとえば約１０秒から１５秒間）のもの、たとえば、フロー信号から得られる約１０秒間のサンプルを利用した、１０秒間の分散とすることが可能である。同様に、長期の分散の測定は、ステップ２２２において判定することが可能である。この長期の分散については、およそ１分間、すなわち約５０秒から７０秒間という分単位のもの、たとえば、フロー信号から得られる約６０秒間のサンプル値を利用した、６０秒間のものとすることが可能である。場合によっては、換気量における長期の測定値が計算される時間は、短期の測定値が計算される時間の少なくともおよそ３〜５倍とすることも可能である。たとえば、換気量における長期の測定値が、６０秒間から計算されるように選択されている場合には、短期の測定値は、その５分の１（たとえば、６０／５）として計算することが可能であるこれにより、１２秒間の期間が与えられる。
【００２８】
ステップ２２４において、短期の分散の測定値を、長期の分散における第１および第２の割合と比較することが可能である。たとえば、一定の範囲、たとえば、４５％〜７０％を超えていない減少に基づいて、呼吸低下を検出することが望ましい場合もある。このような場合には、長期の分散は、（０．４５）２および（０．７）２の因子によって乗じることが可能である。任意的に、これらの因子については、長期の分散の平方根によって乗じられる場合には、２乗の操作をすることなく用いることが可能である。そして、結果として得られる割合は、分散における短期の測定値の平方根と比較されることになる。このような比較は、ＲＭＳ換気量に基づくエアフローにおける減少の判定を表している。そして、ステップ２２６において、短期の分散の測定値が、第１の割合を下回っているが、その後の一定の期間にわたって、第１および第２の割合の範囲を超えていない場合には、呼吸低下の事象は記録あるいは示すことが可能である。このようなシステムは、患者の呼吸における低下の期間が経過あるいは計測されている間に、呼吸フロー信号のデータの第１の割合を超えているけれども、第２の割合を超えていない短期の偏位を容認することによって、より正確な呼吸低下の自動検出あるいは自動記録することを可能とすることができる。
【００２９】
本技術における上記のような検出器の実施形態の実施に関する状態図が、図３に示されている。この検出器は、睡眠セッション中の呼吸低下を、患者がこの事象を経験している間に、呼吸低下を同時に記録するデバイスにとって有用なものであることができ、セッション後の分析のために実装されることもできる。このデバイスの挙動は、スタート状態Ｓ０において始まる。ステップ３３２で、このデバイスは、ＲＭＳ換気量が約５０％の閾値を下回っているか否か、を判定することが可能である。たとえば、このデバイスは、１０秒間あるいは１２秒間のデータ窓（すなわち、Ｖ１０あるいはＶ１２）によって測定された呼吸フロー信号における短期の分散を、６０秒間のデータ窓によって測定された長期の分散の割合（たとえば、Ｖ６０の（０．５）２倍）と比較することが可能である。この閾値が満たされている、すなわち破られている場合には、ステップ３３４において、計時期間が始動あるいはスタートされることができ、さらに、デバイスは、サブ５０状態に入る（Ｓ１）。たとえば、カウント・ダウン・タイマー（指定されている「サブ５０タイマー」）を、約３〜８秒間、しかしながら、好ましくは４秒間の最大期間にセットすることが可能である。この時間設定に関する他の値は、呼吸低下の評価基準における望ましい結果
に応じて、あらかじめ決定しておくことも可能である。ステップ３３２において、上記の閾値が満たされていない場合、デバイスは、スタート状態（Ｓ０）に戻る。
【００３０】
その後、ステップ３３６において、デバイスは、ＲＭＳ換気量が約５０％を下回ったままでいるか否か、を判定する。このようなテストについては、ステップ３３２において実装されているテストに相当するものとすることが可能である。下回ったままではない場合、デバイスは、偏位範囲状態（Ｓ２）に移行する。この状態から、デバイスは、ステップ３３８において、ＲＭＳ換気量が再び約５０％を下回っているか否か、をテストする。下回っている場合、デバイスは、サブ５０状態（Ｓ１）に戻る。下回っていない場合、デバイスは、ステップ３４０において、ＲＭＳ換気量が約７５％の閾値を超えているか否か、をテストする。たとえば、このデバイスは、１０秒間あるいは１２秒間のデータ窓（すなわち、Ｖ１０あるいはＶ１２）によって測定された呼吸フロー信号における短期の分散を、６０秒間のデータ窓によって測定された長期の分散における他の割合（たとえば、Ｖ６０の（０．７５）２倍）と比較することが可能である。この閾値が満たされている、すなわち破られている場合には、デバイスは、呼吸低下の事象を記録することなく、スタート状態（Ｓ０）に移行することが可能である。ステップ３４０において、閾値が満たされていない場合には、デバイスは、偏位範囲状態（Ｓ２）に戻る。
【００３１】
ステップ３３６において、テストが、ＲＭＳ換気量が約５０％を下回ったままである、と判断した場合には、プロセスブロック３４２において、サブ５０タイマーの値は、それが終了していない場合（たとえば、それが０よりも大きい場合）には、デクリメントする、すなわちカウントダウンすることができる。そして、ステップ３４４において、サブ５０タイマーは、呼気の症状に関して、計時期間が終了しているか、満了しているか否かをチェックされる。それが終了していない場合には、デバイスは、サブ５０状態（Ｓ１）にとどまる。それが終了している場合には、デバイスは、記録状態に入ったときに、呼吸低下を記録する（Ｓ３）。このように、検出デバイスは、サブ５０状態（Ｓ１）および偏位範囲状態（Ｓ２）の分析に基づいて、呼吸低下の症状を示している。
【００３２】
いったん記録状態（Ｓ３）に入っているデバイスの他の機能は、共通の呼吸低下事象を複数回にわたって記録してしまうことを防止するための、不応期間の実装である。したがって、ステップ３４６では、ＲＭＳ換気量がテストされ、それが約７５％の閾値を超えているか否かが確かめられる。このテストは、ステップ３４０における比較に相当するものである。ステップ３４６において、それがこの閾値を超えていない場合には、デバイスは、記録状態（Ｓ３）にとどまる。ステップ３４６において、それがこの閾値を超えている場合には、ステップ３４８において、別の計時時間すなわち不応の計時時間を始動あるいはスタートすることが可能となり、デバイスは、スーパー７５状態（Ｓ４）に入る。たとえば、カウント・ダウン・タイマー（指定されている『スーパー７５タイマー』）を、約１０〜２０秒間、しかしながら、好ましくは１５秒間の最大期間にセットすることが可能である。記録されている呼吸低下の症状が停止していることを保証するための、不応時間の望ましい長さ応じて、この時間設定に関する他の値をあらかじめ決定しておくことも可能である。
【００３３】
このスーパー７５状態（Ｓ４）から、ステップ３４６での比較と同様に、ステップ３５０で、ＲＭＳ換気量が約７５％の閾値を上回ったままでいることを確認するために、ＲＭＳ換気量がチェックされる。それが上回ったままでいる場合には、ステップ３５２において、スーパー７５タイマーの値をデクリメントし、そして、実行され続け、すなわち、カウントダウンし続ける。ステップ３５４において、スーパー７５タイマーが終了している、すなわち、所望の期間を過ぎている場合には、デバイスは、スタート状態（Ｓ０）に戻る。そうでない場合、デバイスは、このスーパー７５状態（Ｓ４）にとどまる。
【００３４】
要約していえば、この検出器は、短期の換気量測定値が、５０％の閾値を下回っているとともに、約４秒間にわたって、そこにとどまっているか否かを判定する。検出器は、４秒間が経過する間における、５０％の閾値を超える偏位については容認するけれども、７５％の閾値を超える偏位については容認しない。しかしながら、経過時間が終了する前に７５％の閾値が超えられた場合には、検出器は、呼吸低下の表示をすることなく、スタート状態に戻ることになる。いったん経過が完了した時点において、呼吸低下が表示される。そして、検出器は、この検出器が不応答でなくなるまでの不応期間、たとえば連続する１５秒間に関しては、短期の閾値の測定値が７５％の閾値を超えていることを必要とする。このような実装においては、検出器は、短い呼吸低下を記録しないとともに、乱雑に発生しているフローの低下している期間を、２回以上ではなく１回の呼吸低下として記録することを可能とする傾向を有していることになる。
【００３５】
一部の実施形態では、保存状態（Ｓ３）に入ること、あるいは、さもなければ、呼吸低下を表示あるいは記録することに関して、フロー制限、閉塞性の無呼吸および／または中枢性の無呼吸の検出を別の条件とすることも可能である。これらについては、呼吸低下の検出用のプロセッサ、あるいは、呼吸低下検出用のプロセッサと電子的に通信している他のプロセッサなどの、一般的なプロセッサによって検出することが可能である。たとえば、このデバイスは、米国特許第６，１３８，６７５号および第６，０２９，６６５号に記載されている任意の方法によって、閉塞性の無呼吸、部分的な閉塞および／または中枢性の無呼吸をも検出するように、構成することが可能である。なお、これらの特許における全ての開示内容は、異なるプロセッサあるいは検出器であっても、相互参照することによって、この明細書に組み込まれている。同様に、２００８年５月９日出願のＰＣＴ／ＡＵ００８／０００６４７（国際特許出願第（ＷＯ／２００８／１３８０４０）号公報として発行されている）、および、２００７年８月１７日出願の米国仮特許出願第６０／９６５，１７２号に記載されているように、このデバイスは、フロー制限の測定値、たとえば、不鮮明なフロー制限の測定値を検出するように構成することも可能であり、これらの開示内容は、参照することによって、本明細書に組み込まれている。このような実施形態では、中枢性の無呼吸、気道の開存性、部分的な閉塞のないこと、閉塞性の無呼吸、あるいはフロー制限における低い、あるいは不十分な測定値における任意の１つあるいは複数を伴う、換気量の減少（たとえば、サブ５０状態に関連する分類）の判定を、呼吸低下の症状の禁忌であると見なすことも可能である。このような場合には、換気量の減少を、無呼吸の結果であると考えることが可能である。たとえば、部分的な閉塞あるいはフロー制限の測定値が、サブ５０の計時期間には、重大な閉塞はない、または閉塞がないことを示している場合には、検出器は、呼吸低下を記録することなく、スタート状態（Ｓ０）あるいは別の待機状態（図示せず）に戻ることが可能である。この待機状態は、換気量の測定値が閾値、たとえば、ステップ３４６において論じた７５％の閾値より上に戻ることを待機するための、類似した不応の計時期間を提供する。同様に、別の例を示すと、中枢性の無呼吸あるいは気道の開存性における測定値が、サブ５０の計時期間において、中枢性の無呼吸があることを示している場合には、検出器は、呼吸低下を記録することなく、スタート状態（Ｓ０）あるいは別の待機状態に戻ることが可能である。この待機状態は、換気量の測定値が閾値たとえば、ステップ３４６において論じた７５％の閾値より上に戻ることを待機するための、類似した不応の計時期間を提供する。さらに別の例では、閉塞性の無呼吸の測定値が、サブ５０の計時期間において、閉塞性の無呼吸があることを示している場合には、検出器は、呼吸低下を記録することなく、スタート状態（Ｓ０）あるいは別の待機状態に戻ることが可能である。この待機状態は、換気量の測定値が閾値たとえば、ステップ３４６において論じた７５％の閾値より上に戻ることを待機するための、類似した不応の計時期間を提供する。
【００３６】
図３の状態図に基づく上述した検出器の１実施形態は、記録されている患者の呼吸フロー信号を表すデータのライブラリーで、テストされている。フローデータは、酸素飽和度
のデータに対して、あらかじめ関連づけられている。呼吸低下検出器はフローデータを分析している。また、呼吸低下事象は記録されている。検出された呼吸低下事象は、飽和事象のデータに関連づけられている。この相関関係のグラフが、図４に示されている。このグラフは、呼吸低下の検出方法は、少なくとも４％の飽和度の飽和事象（ＯＤＩ）とよく関連していることを示している。
【００３７】
図３に示されている記録方法における別の例では、無呼吸の事象（たとえば、中枢性の無呼吸あるいは閉塞性の無呼吸）が検出されたときには、呼吸低下を記録することを回避するように、この状態機械の状態を実施実装することが可能である。たとえば、検出器が記録状態（Ｓ３）に入ったときに、呼吸低下は、単に「事前登録」されるだけである（たとえば、「事前登録」変数を真に設定することによる）。このため、それは、すぐには記録されない。これについては、検出器による潜在的な呼吸低下の検出である、と考えることが可能である。この時点において、無呼吸検出器（たとえば、閉塞性の無呼吸および／または中枢性の無呼吸の検出器）を、（たとえば、この状態において連続的に）調査することによって、この無呼吸検出器が無呼吸を検出しているか否か、を判定する。この調査に応じて、無呼吸の検出が確認された場合には、「事前登録」変数の値を変更する（たとえば、偽に設定する）ことが可能となり、そして、呼吸低下検出器の状態が、スーパー７５状態（Ｓ４）に進むとともに、３４８においてスーパー７５タイマーが設定される。このようにして、呼吸低下の記録を回避することが可能となる。検出器がいったんスーパー７５状態（Ｓ４）に進むと、潜在的な呼吸低下事象が、事前登録変数に基づいて、呼吸低下事象として登録あるいは記録されることになる（たとえば、「事前登録」変数が真である場合には、事象が呼吸低下として登録される。しかしながら、「事前登録」変数が偽である場合には、事象が呼吸低下として登録あるいは記録されることはない）。
【００３８】
この実施形態では、検出器の状態機械は、スーパー７５状態（Ｓ４）に入ることによって、記録状態（Ｓ３）から前進する。したがって、記録状態に入ってからスーパー７５状態（Ｓ４）に入るまでの間のいずれかの時間において、無呼吸が確認された場合には、呼吸低下は登録されないことになる。さらに、いずれの時間帯においても、呼吸低下が記録される前に無呼吸が確認された場合には、呼吸低下検出器は不応状態となり、この不応期間が終了するまで、記録は不可能となる。したがって、この実施形態は、潜在的な呼吸低下事象が無呼吸事象である場合に、虚偽の肯定的な呼吸低下を記録してしまうことを防止することに役立てることが可能である。この実施形態は、上述したような調査（ポーリング）を介して通信している個別の検出器（たとえば、個別のデバイス、あるいは、共通の装置における個別のソフトウェア／ハードウェアモジュール）によって、協調的な無呼吸および呼吸低下の検出を実装している。しかしながら、実施形態によっては、既知の方法によって無呼吸を検出するための追加的な閾値を用いて、上述の状態機械の状態を修正することも可能である。このような場合には、共通のソフトウェア／ハードウェアモジュールからなる統合された状態機械の出力によって、さまざまな閾値あるいは状態機械の状況に対する査定結果に応じて、呼吸低下の症状あるいは無呼吸の症状のいずれかを検出することが可能となる。
【００３９】
（２）追加的な検出構成
一部の実施形態では、呼吸低下の記録が、さらに、記録される呼吸低下における重症度の測定値に対する判定を含むことも可能である。このような方法の実施例が、図５に例示されている。この実施例では、換気量における短期の測定値および長期の測定値を、ステップ５４０およびステップ５４２のそれぞれにおいて、呼吸フロー信号から判定することが可能である。たとえば、この測定値を、上述の実施形態において議論されたような、短期（たとえば約１２秒）の時間窓および長期（たとえば約６０秒）の時間窓によって判定される、ＲＭＳ換気量あるいは分散の計算値とすることが可能である。別の例を示すと、これらの換気量の測定値を、それぞれ、ロー・パス・フィルタリングされた平均換気量（
たとえば、短期の定数および長期の定数を用いることによって得られる、フロー信号からのデータサンプルの絶対値の半値）とすることも可能である。さらに別の実施形態では、換気量の測定値として、複数回の呼吸に関する長期の平均１回換気量と、１回の呼吸における最新の１回換気量あるいは数回の呼吸の平均値とを、利用することも可能である。ステップ５４４において、長期の測定値の関数として、閾値が判定される。たとえば、この閾値を測定値の一部あるいは割合とすることも可能である（たとえば、５０％、７５％など）。この閾値は、患者における呼吸低下の症状に基づいて、実験的に判定することも可能である。そして、ステップ５４６において、この閾値および短期の測定値を用いて、たとえば、この閾値と換気量における短期の測定値との第１および第２の交叉部分によって区切られている領域を測定することによって、検出デバイスが、呼吸低下あるいは呼吸低下の重症度を検出する。
【００４０】
本技術の実施例は、例示されている図６のグラフに関連するものである、と考えることも可能である。このグラフは、長期の換気量の測定値６５０および短期の換気量の測定値６５２をプロットしている。これらの測定値については、測定されている呼吸フロー信号から判定することが可能である。このグラフは、また、長期の換気量の測定値の関数として判定された、閾値６５０Ｐも示している。呼吸低下の事象における重症度の測定値を提供することの可能な、境界領域Ａの範囲は、これらの測定値からのデータを用いて、検出デバイスによって判定することが可能である。たとえば、この境界領域Ａは、以下の例示的な数式によって判定することも可能である。
【数１】
2016027882.tif 000003
ここで、
ｆ（ｘ）は、換気量における長期の測定値の割合である。また、
Ｇ（ｘ）は、換気量における短期の測定値である。
ａおよびｂは、ｆ（ｘ）とｇ（ｘ）との第１および第２の交叉部分であり、少なくとも１０秒間の長さの期間を区切ることが可能である。
【００４１】
例示的な１実施形態では、換気量の測定値の積分が、これらの信号を共通する時間においてサンプリングするとともに、時間（ａ）から時間（ｂ）までの間の、閾値と短期の測定値との間におけるサンプル差分（すなわち、ｆ（ｘ）−ｇ（ｘ）。ここで、ｘはサンプリング時間である）を連続的に積算することによって、実装することが可能である。図６に示されているように、この積算操作は、閾値と短期の測定値とを比較して、短期の測定値が閾値よりも小さいこと（たとえば、ｘ＝ａのときに、Ｇ（ｘ）＜＝Ｆ（ｘ））を判定することによって、（「トリガーａ」において）開始されることが可能である。そして、この積算操作は、閾値と短期の換気量とを再び比較して、短期の測定値が閾値を超えたこと（たとえば、ｘ＝ｂのときに、Ｇ（ｘ）＞＝Ｆ（ｘ））を判定することによって、（「トリガーｂ」において）停止することが可能である。結果として得られた合計値は、重症度の測定値であると見なすことが可能である。実施形態によっては、サンプリングが実施された期間（たとえばサンプルカウント）が、呼吸低下を示す選択された期間、たとえば１０秒間を超えていない場合には、重症度の測定値は、無視されることもある（たとえば、（ｂ−ａ）＜１０秒間の場合）。
【００４２】
これらの図５に示されている領域判定方法を、任意的に、図２および図３に示されている記録方法とともに実装することによって、両方の方法に基づいて、記録される各事象に関する重症度の測定値を提供するおよび／またはジョイント呼吸低下を提供することも可能である。たとえば、いずれかの方法、あるいは、代替的に、両方の方法が、呼吸低下の発生を検出している場合に、呼吸低下は、検出器によってカウントすることも可能である
。そして、重症度の測定値は、カウントされた呼吸低下に関して、提供することも可能である。しかしながら、領域方法は、独立した検出器として、前者の方法とは独立して実装することができる。
【００４３】
このように、呼吸低下を記録するだけのためではなく、領域測定は、その重症度の測定値を同様に提供するために使用することが可能である。たとえば、重症度の測定値を、呼吸低下を示す閾値と比較することも可能である。たとえば、所定の閾値を、飽和度、たとえば約４％の飽和事象を示すように、実験的に決定することも可能である。したがって、重症度の測定値を上記のような閾値と比較することによって、呼吸低下事象を記録することが可能となる。任意的に、その重症度は、たとえば、それが閾値を超える値、あるいは閾値との比としての値を判定することによって、さらに分析されあるいは定量化されることも可能である。さらに、領域自体の値も、重症度の測定値として機能することが可能である。
【００４４】
一部の実施形態では、呼吸低下の長さ、たとえば、その時間すなわち持続時間も、重症度の測定値として機能することが可能である。領域の測定値と同様に、それを、１つあるいは複数の閾値と比較することによって、呼吸低下の事象にアクセスすることが可能となる。一部の実施形態では、領域の測定値、長さすなわち持続時間、およびカウントを、それぞれ分析することによって、呼吸低下を記録すること、および／または、その重症度を規定することが可能である。たとえば、上述したいずれかの実施形態によって記録された呼吸低下事象を、その長さおよび領域によって特徴づけることによって、重症度を示すことも可能である。
【００４５】
この呼吸低下検出技術におけるさらに他の実施形態では、タイプによって、たとえば、呼吸低下事象が閉塞性の呼吸低下であることを判定することによって、あるいは、呼吸低下事象が中枢性の呼吸低下であることを判定することによって、呼吸低下事象が特徴づけられ、あるいは分類することが可能である。この手法では、検出器は、異なるタイプの呼吸低下を区別することができる可能である。たとえば、（１）この明細書に記載したいずれかの方法によって、たとえば検出された無呼吸の確認を欠いている状態で、呼吸低下事象が検出されたこと、および、（２）（ａ）フロー制限の測定値（たとえば、フロー制限のインデックスを分析することによる）、（ｂ）呼吸低下中における呼吸あるいは呼吸サイクルの検出（たとえば、始動閾値に基づいて、患者が呼気状態から吸気状態への移行を始動していることを確認したこと）、および／または、（ｃ）部分的な閉塞の測定値、における１つあるいは複数を検出したこと、の同時的な発生を、記録するために、集合的に、中枢性の呼吸低下ではなく、むしろ閉塞性の呼吸低下の検出である、と見なすことが可能である。同様に、（１）この明細書に記載したいずれかの方法によって、たとえば検出された無呼吸の確認を欠いている状態で、呼吸低下事象が検出されたこと、および、（２）（ａ）気道における開存性の症状、（ｂ）呼吸あるいは呼吸サイクルを検出していないこと（たとえば、始動閾値に基づいて、しばらくの間、患者が呼気状態から吸気状態への移行を始動していないこと）、および／又は（ｃ）フロー制限あるいは部分的な閉塞のないこと、における１つあるいは複数を検出したこと、の同時的な発生を、記録するために、集合的に、閉塞性の呼吸低下ではなく、むしろ中枢性の呼吸低下の検出である、と見なすことが可能である。したがって、記録された呼吸低下事象の数を、閉塞性の呼吸低下および中枢性の呼吸低下の両方の合計として示すことが可能であるとともに、本技術における一部の実施形態が、この検出器によって判定された中枢性の呼吸低下の数から切り離された、閉塞性の呼吸低下の数における分析を記録あるいは報告するように、実装することが可能である。
【００４６】
別の実施例を示すと、上記した検出器の実施形態の１つでは、中枢性の事象に起因する呼吸低下事象が記録されていない間においては、閉塞性の呼吸低下事象を記録することが
可能である。この実施例では、この明細書に記載されたいずれかの方法によって検出されているとともに、所望の閾値を満たすフロー制限のインデックスを伴って発生している呼吸低下事象を、呼吸低下あるいは閉塞性の呼吸低下として記録することが可能である。しかしながら、検出された呼吸低下事象が、呼吸あるいは呼吸サイクルの検出を伴わずに発生している場合には、呼吸低下を記録しないことも可能である。このような場合には、呼吸あるいは呼吸サイクルを検出していないこと（たとえば、始動閾値に基づいて、しばらくの間、患者が呼気状態から吸気状態への移行を始動していないこと）を、中枢性の事象（たとえば中枢性の無呼吸）のインジケータであると考えることも可能である。
【００４７】
例示的な構造
コントローラの例示的なシステム構造が、図７のブロック図に示されている。この図では、呼吸低下検出デバイス７０１あるいは汎用的なコンピューターが、１つあるいは複数のプロセッサ７０８を含むことが可能である。このデバイスは、さらに、ディスプレイインターフェイス７１０を含み、この明細書に記載されているような、呼吸低下の検出における報告（たとえば、呼吸低下のカウントおよび／または重症度の測定値）、結果、あるいはグラフ（たとえば、図６に例示されているような領域曲線）をたとえば、モニターあるいはＬＣＤパネルに出力することが可能である。ユーザー制御／入力インターフェイス７１２は、たとえば、キーボード、タッチパネル、コントロールボタン、マウスなどのためのものであり、この明細書に記載されている方法を作動するように設けることも可能である。このデバイスは、さらに、プログラミング命令、酸素測定データ、フローデータ、呼吸低下の検出データなどのデータを、受信／送信するために、センサあるいはデータインターフェイス７１４、たとえばバスを含むことも可能である。このデバイスは、典型的には、さらに、上述した方法（たとえば図２〜図６）における制御命令を含むメモリ／データ保存構成部品を含むことも可能である。これらは、この明細書においてより詳細に説明されているように、ステップ７２２における、フロー信号あるいは酸素測定信号の処理（たとえば、前処理方法、フィルタリング）のための、プロセッサの制御命令を含むことも可能である。これらは、さらに、ステップ７２４における換気量の測定値の判定（たとえば、分散、ＲＭＳ計算など）のための、プロセッサの制御命令を含むことが可能である。これらは、さらに、ステップ７２６において、呼吸低下の検出あるいは重症度の測定（たとえば、閾値の判定、比較、領域測定、始動、タイミング方法、記録、その他）のための、プロセッサの制御命令を含むことができる。最後に、これらは、上記の方法（たとえば、検出された呼吸低下事象および／または呼吸低下の重症度の測定値、閾値の割合、タイミング閾値、報告、およびグラフ、その他）に関する、記録されているデータ７２８を含むことが可能である。
【００４８】
一部の実施形態では、上記した方法を制御するためのプロセッサの制御命令およびデータは、汎用的なコンピューターによって使用するためのソフトウェアとして、コンピューターによって読み出し可能な記録媒体に保存することも可能である。これにより、このソフトウェアを汎用的なコンピューターにロードすることによって、汎用的なコンピューターが、この明細書において論じられているいずれかの方法にしたがう、特定の目的のためのコンピューターとして機能することが可能となる。
【００４９】
上述の説明および添付図面では、特定の専門用語、方程式、および図面の符号は、本技術における完全な理解を提供するために記載されている。場合によっては、これらの専門用語および符号は、本技術を実施するためには必要とされない、特定の具体的な事項を意味している可能性がある。たとえば、この明細書では、「第１の」および「第２の」という用語が使用されているけれども、特段の定めのない限り、これらの語句は、何らかの特定の順序を付与するためのものではなく、単に、本技術における異なる要素を説明することに役立てるためのものである。さらに、検出方法における処理ステップは、一定の順序をもって図に例示されているけれども、このような順序付けは不要である。当業者であれ
ば、このような順序づけを修正することが可能であること、および／または、その態様を並行して実施することが可能であることを、認識するはずである。
【００５０】
さらに、この明細書では、本技術が、具体的な実施形態に基づいて説明されてきたが、これらの実施形態は、単に、本技術の原理および応用形を例示しているだけであるということを理解されたい。したがって、例示的な実施形態に対する、非常に多くの修正形を形成することが可能であること、および、本技術の精神および範囲から逸脱することなく、他の構成を発明することも可能であることを、理解されたい。たとえば、上述した記録方法および重症度の測定方法については、測定された血液酸素データを用いることなく、実施することが可能である。しかしながら、一部の実施形態では、検出器が、さらに、酸素濃度センサからの飽和度データにアクセスすることを含み、これによって、実際のＳｐＯ２データ、および、換気量あるいはエアフローデータを用いて、たとえばＡＡＳＭガイドラインに示されている方法によって、呼吸低下を分類することも可能である。このような１実施形態では、検出器は、上述した実施形態（たとえば図２、図３および図５）に記載されているようなデータを用いることなく、ＳｐＯ２データを用いて、呼吸低下の検出を実装することが可能である。したがって、このデバイスは、いずれか一方の方法を用いた検出によって、あるいは、代替的に、両方の方法を用いた検出によって、呼吸低下を記録することが可能である。このような実施形態を、さらに、両方の方法から得られた結果を比較することによって、いずれか一方の方法を評価するために、あるいは、いずれか一方あるいは両方の方法によって呼吸低下が検出された場合に、検出された呼吸低下に対する処理を実行するために、利用することも可能である。
【００５１】
以下に示す説明的な段落を検討することによって、この明細書に開示されている本技術における追加の例示的な実施形態をも、理解することも可能である。この目的のために、本技術は、以下の構成を包含することも可能である。
【００５２】
測定された呼吸可能ガスのフローから呼吸低下を検出するようにプロセッサを制御するための方法において、測定された呼吸可能ガスのフローに基づいて、データにおける短期の分散から第１の測定値を判定するステップと、測定された呼吸可能ガスのフローに基づいて、データにおける長期の分散から第２の測定値を判定するステップと、該第１の測定値を、該第２の測定値における第１および第２の割合と比較するステップと、該第１の測定値が、該第１の割合を下回っているとともに、その後の第１の期間において、該第１および第２の割合の範囲を超えていない場合に、該比較に基づいて、呼吸低下の検出を示すステップと、を含んでいる、方法。
【００５３】
前述した段落のいずれかの方法において、該第１の割合が、該第２の割合よりも小さくなっており、該第１の期間において、該第１の測定値が該第１の割合を超えていない場合に、呼吸低下の検出を示すステップをさらに含んでいる、方法。
【００５４】
前述した段落のいずれかの方法において、該第１の割合が、該第２の割合よりも小さくなっており、該第１の期間において、該第１の測定値が、該第１の割合を超えている一方、該第２の割合を超えていない場合に、呼吸低下の検出を示すステップをさらに含んでいる、方法。
【００５５】
前述した段落のいずれかの方法において、測定された呼吸可能ガスのフローから、フロー制限の測定値を検出するステップをさらに含んでおり、該呼吸低下の該検出を示す該ステップが、さらに、閉塞性を示している該フロー制限の該測定値にも基づいている、方法。
【００５６】
前述した段落のいずれかの方法において、該第１の測定値と該第１の割合との該比較が
、約１０秒から１５秒間の呼吸フローデータから計算されたＲＭＳ値が、約５０秒から７０秒間の呼吸フローデータから計算されたＲＭＳ値の約５０パーセントからなる閾値を下回っているか否かの判定を表し、該第１の期間が、約３秒から８秒間である、方法。
【００５７】
前述した段落のいずれかの方法において、該第２の測定値と該第２の割合との該比較が、約１０秒から１５秒間の呼吸フローデータから計算されたＲＭＳ値が、約５０秒から７０秒間の呼吸フローデータから計算されたＲＭＳ値の約７５パーセントからなる閾値を下回っているか否かの判定を表している、方法。
【００５８】
前述した段落のいずれかの方法において、該第１の測定値と該第１の割合との該比較が、約１０秒から１５秒間の呼吸フローデータから計算されたＲＭＳ値が、約５０秒から７０秒間の呼吸フローデータから計算されたＲＭＳ値の約５０パーセントからなる閾値を下回っているか否かの判定を表し、該第１の期間が、約３秒から８秒間である、方法。
【００５９】
前述した段落のいずれかの方法であって、第２の期間において、該第１の測定値が該第２の割合を超えるまで、さらなる呼吸低下の検出を遮断するステップをさらに含んでいる、方法。
【００６０】
前述した段落のいずれかの方法において、該さらなる検出を遮断するステップが、該第１の測定値と該第２の割合とを比較するステップを含んでおり、該比較ステップが、約１０秒から１５秒間の呼吸フローデータから計算されたＲＭＳ値が、約５０秒から７０秒間の呼吸フローデータから計算されたＲＭＳ値の約７５パーセントからなる閾値を超えているか否かの判定を表しているとともに、該第２の期間が、約１０秒から２０秒間である、方法。
【００６１】
前述した段落のいずれかの方法において、フローセンサを用いて呼吸可能ガスのフローを測定するステップをさらに含んでいる、方法。
【００６２】
呼吸低下検出装置において、測定された呼吸可能ガスのフローを表すデータにアクセスするための、少なくとも１つのプロセッサを有するコントローラを備えており、該コントローラが、さらに、該データにおける短期の分散から第１の測定値を判定し、該データにおける長期の分散から第２の測定値を判定し、該第１の測定値を、該第２の測定値における第１および第２の割合と比較し、さらに、該第１の測定値が、該第１の割合を下回っているとともに、その後の第１の期間において、該第１および第２の割合の範囲を超えていない場合に、該比較に基づいて、該呼吸低下の検出を示す、ように構成されている、呼吸低下検出装置。
【００６３】
前述した段落のいずれかの装置において、該第１の割合が該第２の割合よりも小さくなっており、該コントローラが、さらに、該第１の期間において、該第１の測定値が該第１の割合を超えていない場合に、呼吸低下の検出を示すように構成されている、装置。
【００６４】
前述した段落のいずれかの装置において、該第１の割合が該第２の割合よりも小さくなっており、該コントローラが、さらに、該第１の期間において、該第１の測定値が、該第１の割合を超えているけれども、該第２の割合を超えていない場合に、呼吸低下の検出を示すように構成されている、装置。
【００６５】
前述した段落のいずれかの装置において、該コントローラが、さらに、該データからフロー制限の測定値を検出するように構成されており、該呼吸低下における該検出の該表示が、さらに、閉塞性を示している該フロー制限の測定値にも基づいている、装置。
【００６６】
前述した段落のいずれかに記載の装置において、該第１の測定値と該第１の割合との該比較が、約１０秒から１５秒間の呼吸フローデータから計算されたＲＭＳ値が、約５０秒から７０秒間の呼吸フローデータから計算されたＲＭＳ値の約５０パーセントからなる閾値を下回っているか否かの判定を表しているとともに、該第１の期間が、約３秒から８秒間である、装置。
【００６７】
前述した段落のいずれかの装置において、該第２の測定値と該第２の割合との該比較が、約１０秒から１５秒間の呼吸フローデータから計算されたＲＭＳ値が、約５０秒から７０秒間の呼吸フローデータから計算されたＲＭＳ値の約７５パーセントからなる閾値を下回っているか否かの判定を表している、装置。
【００６８】
前述した段落のいずれかの装置において、該第１の測定値と該第１の割合との該比較が、約１０秒から１５秒間の呼吸フローデータから計算されたＲＭＳ値が、約５０秒から７０秒間の呼吸フローデータから計算されたＲＭＳ値の約５０パーセントからなる閾値を下回っているか否かの判定を表しているとともに、該第１の期間が、約３秒から８秒間である、装置。
【００６９】
前述した段落のいずれかの装置であって、該コントローラが、第２の期間において、該第１の測定値が該第２の割合を超えるまで、さらなる呼吸低下の検出を遮断するように構成されている、装置。
【００７０】
前述した段落のいずれかの装置において、該さらなる検出の該遮断が、該第１の測定値と該第２の割合との比較を含んでおり、該比較が、約１０秒から１５秒間の呼吸フローデータから計算されたＲＭＳ値が、約５０秒から７０秒間の呼吸フローデータから計算されたＲＭＳ値の約７５パーセントからなる閾値を超えているか否かの判定を表しているとともに、該第２の期間が、約１０秒から２０秒間である、装置。
【００７１】
前述した段落のいずれかの装置において、フローセンサをさらに備えており、該コントローラが、さらに、該フローセンサを用いて、測定された呼吸可能ガスのフローを判定するように構成されている、装置。
【００７２】
前述した段落のいずれかの装置において、患者のために大気圧よりも高い圧力を有する呼吸可能ガスを生成するように構成されているフロー生成器をさらに備えており、該コントローラが、さらに、該検出された呼吸低下に基づいて、圧力治療レジメンにしたがって該呼吸可能ガスを生成するように、該フロー生成器を制御するように構成されている、装置。
【００７３】
測定された呼吸可能ガスのフローから呼吸低下を検出するようにプロセッサを制御するための方法において、換気量における長期の測定値を判定するステップと、換気量における短期の測定値を判定するステップと、換気量における該長期の測定値の割合としての閾値を決定するステップと、換気量における該短期の測定値と該閾値との第１および第２の交叉部分によって区切られている領域を測定するステップと、該測定された領域を用いて、該呼吸低下を検出するステップと、を含んでいる、方法。
【００７４】
前述した段落のいずれかの方法において、該測定ステップが、換気量における該短期の測定値が該閾値を下回ったときから、該短期の測定値が該閾値を超えたときまでの期間における、該閾値と該短期の測定値との間の差異を積分するステップを含んでいる、方法。
【００７５】
前述した段落のいずれかの方法において、該測定ステップが、該短期の測定値が該閾値を下回ったときから、該短期の測定値が該閾値を超えたときまでの期間における、複数の
サンプル差分を積算するステップを含んでおり、各サンプル差分が、該閾値のサンプルと換気量における該短期の測定値のサンプルとの間の差異である、方法。
【００７６】
前述した段落のいずれかの方法であって、該第２の交叉部分から開始される不応期間において、さらなる呼吸低下の検出を遮断するステップをさらに含んでいる、方法。
【００７７】
前述した段落のいずれかの方法において、換気量における該短期の測定値と該閾値とを不等式によって比較することによって、該第１の交叉部分を検出したときに、該領域の測定ステップを始動するステップをさらに含んでいる、方法。
【００７８】
前述した段落のいずれかの方法において、該呼吸低下の該検出が、該第１の交叉部分から該第２の交叉部分までの時間が約１０秒間を超えることを条件としている、方法。
【００７９】
前述した段落のいずれかの方法において、換気量における該短期の測定値が、呼吸可能ガスのフローの測定値における絶対値の半値を、第１の時定数を用いてロー・パス・フィルタリングして得られる出力値を有している、方法。
【００８０】
前述した段落のいずれかの方法において、換気量における該長期の測定値が、呼吸可能ガスのフローの測定値における絶対値の半値を、第２の時定数を用いてロー・パス・フィルタリングして得られる出力値を有しており、該第２の時定数が、該第１の時定数よりも大きくなっている、方法。
【００８１】
前述した段落のいずれかの方法において、該割合が約７０パーセントである、方法。
【００８２】
前述した段落のいずれの方法において、該領域の測定値を用いて、該呼吸低下の重症度を示すステップをさらに含んでいる、方法。
【００８３】
前述した段落のいずれかの方法において、該検出ステップが、該測定された領域を、少なくとも４パーセントの血液酸素の飽和度を近似的に示すように選択されている閾値と比較するステップを含んでいる、方法。
【００８４】
前述した段落のいずれかの方法において、フローセンサを用いて、呼吸可能ガスのフローを測定するステップをさらに含んでいる、方法。
【００８５】
前述した段落のいずれかの方法において、該測定されたフロー信号からフロー制限の測定値を検出するステップをさらに備えており、該呼吸低下の該検出が、さらに、閉塞性を示している該フロー制限の測定値にも基づいている、方法。
【００８６】
測定された呼吸可能ガスのフローから呼吸低下を検出するための装置において、測定された呼吸可能ガスのフローを表すデータにアクセスするための、少なくとも１つのプロセッサを有するコントローラを備えており、このコントローラが、さらに、該測定されたフローから換気量における長期の測定値を判定し、該測定されたフローから換気量における短期の測定値を判定し、換気量における該長期の測定値の割合としての閾値を決定し、換気量における該短期の測定値と該閾値との第１および第２の交叉部分によって区切られている領域を測定し、さらに、該測定された領域を用いて、該呼吸低下を検出するように構成されている、装置。
【００８７】
前述した段落のいずれかの装置において、該コントローラが、換気量における該短期の測定値が該閾値を下回ったときから、該短期の測定値が該閾値を超えたときまでの期間における、該閾値と該短期の測定値との間の差異を積分することによって、該領域を測定す
るように構成されている、装置。
【００８８】
前述した段落のいずれかの装置において、該コントローラが、該短期の測定値が該閾値を下回ったときから、該短期の測定値が該閾値を超えたときまでの期間における、複数のサンプル差分を積算することによって、該領域を測定するように構成されており、各サンプル差分が、該閾値のサンプルと換気量における該短期の測定値のサンプルとの間の差異である、装置。
【００８９】
前述した段落のいずれかの装置において、該コントローラが、さらに、該第２の交叉部分の検出によって開始される不応期間において、さらなる呼吸低下の検出を遮断するように構成されている、装置。
【００９０】
前述した段落のいずれかの装置において、該コントローラが、さらに、換気量における該短期の測定値と該閾値とを不等式によって比較することによって、該第１の交叉部分を検出したときに、該領域の該測定を始動するように構成されている、装置。
【００９１】
前述した段落のいずれかの装置において、該呼吸低下の該検出が、該第１の交叉部分から該第２の交叉部分までの時間が約１０秒を超えることを条件としている、装置。
【００９２】
前述した段落のいずれかの装置において、換気量における該短期の測定値が、呼吸可能ガスのフローの測定値における絶対値の半値を、第１の時定数を用いてロー・パス・フィルタリングして得られる出力値を有している、装置。
【００９３】
前述した段落のいずれかの装置において、換気量における該長期の測定値が、呼吸可能ガスのフローの測定値における絶対値の半値を、第２の時定数を用いてロー・パス・フィルタリングして得られる出力値を有しており、該第２の時定数が、該第１の時定数よりも大きくなっている、装置。
【００９４】
前述した段落のいずれかの装置において、該割合が約７０パーセントである、装置。
【００９５】
前述した段落のいずれかの装置において、該コントローラが、さらに、該領域の測定値を用いて、該呼吸低下の重症度を示すように構成されている、装置。
【００９６】
前述した段落のいずれかの装置において、該検出が、該測定された領域を、少なくとも４パーセントの血液酸素の飽和度を近似的に示すように選択されている閾値と比較するステップを含んでいる、装置。
【００９７】
前述した段落のいずれかの装置において、該コントローラが、さらに、該データからフロー制限の測定値を検出するように構成されており、該呼吸低下の該検出が、さらに、閉塞性を示している該フロー制限の測定値にも基づいている、装置。
【００９８】
前述した段落のいずれかの装置において、フローセンサをさらに備えており、該コントローラが、さらに、該フローセンサを用いて、該測定された呼吸可能ガスのフローを判定するように構成されている、装置。
【００９９】
前述した段落のいずれかの装置において、患者のために大気圧よりも高い圧力を有する呼吸可能ガスを生成するように構成されているフロー生成器をさらに備えており、該コントローラが、さらに、該検出された呼吸低下に基づいて、圧力治療レジメンにしたがって該呼吸可能ガスを生成するように、該フロー生成器を制御するように構成されている、装置。
【０１００】
測定された呼吸可能ガスのフローから呼吸低下を検出するようにプロセッサを制御するための方法において、換気量における長期の測定値を判定するステップと、換気量における短期の測定値を判定するステップと、換気量における該長期の測定値の割合としての閾値を決定するステップと、換気量における該短期の測定値および該閾値の関数としての呼吸低下の範囲を計算するステップと、該測定された範囲を用いて、該呼吸低下の重症度を示すステップと、を含んでいる、方法。
【０１０１】
前述した段落のいずれかの方法において、前記示すステップが、該測定された範囲の値を出力するステップを含んでいる、方法。
【０１０２】
前述した段落のいずれかの方法において、該計算された範囲が、換気量における該短期の測定値と該閾値との第１および第２の交叉部分によって区切られている計算された領域である、方法。
【０１０３】
前述した段落のいずれかの方法において、該計算された領域を、少なくとも４パーセントの血液酸素の飽和度を近似的に示すように選択されている閾値と比較するステップをさらに含んでいる、方法。
【０１０４】
前述した段落のいずれかの方法において、フローセンサを用いて、呼吸可能ガスのフローを測定するステップをさらに含んでいる、方法。
【０１０５】
前述した段落のいずれかの方法において、該測定されたフローからフロー制限の測定値を検出するステップをさらに備えており、該呼吸低下の該検出における前記示すことが、さらに、閉塞性を示している該フロー制限の測定値に基づいている、方法。
【０１０６】
測定された呼吸可能ガスのフローから呼吸低下を検出するための装置において、測定された呼吸可能ガスのフローを表すデータにアクセスするための、少なくとも１つのプロセッサを有するコントローラを備えており、このコントローラが、さらに、該データから換気量における長期の測定値を判定し、該データから換気量における短期の測定値を判定し、換気量における該長期の測定値の割合としての閾値を決定し、換気量における該短期の測定値および該閾値の関数としての呼吸低下の範囲を計算し、さらに、該計算された範囲を用いて、該呼吸低下の重症度を示すように構成されている、装置。
【０１０７】
前述した段落のいずれかの装置において、該コントローラが、該計算された範囲の値を出力デバイスに出力することによって、該重症度を示すように構成されている、装置。
【０１０８】
前述した段落のいずれかの装置において、該コントローラが、換気量における該短期の測定値と該閾値との第１および第２の交叉部分によって区切られている領域を計算することによって、該範囲を計算する、装置。
【０１０９】
前述した段落のいずれかの装置において、該コントローラが、さらに、該計算された領域を、少なくとも４パーセントの血液酸素の飽和度を近似的に示すように選択されている閾値と比較するように構成されている、装置。
【０１１０】
前述した段落のいずれかの装置において、フローセンサをさらに備えており、該コントローラが、さらに、該フローセンサを用いて、測定された呼吸可能ガスのフローを判定するように構成されている、装置。
【０１１１】
前述した段落のいずれかの装置において、患者のために大気圧よりも高い圧力を有する
呼吸可能ガスを生成するように構成されているフロー生成器をさらに備えており、該コントローラが、さらに、該検出された呼吸低下に基づいて、圧力治療レジメンにしたがって該呼吸可能ガスを生成するように、該フロー生成器を制御するように構成されている、装置。
【０１１２】
前述した段落のいずれかの装置において、該コントローラが、さらに、該データからフロー制限の測定値を検出するように構成されており、該呼吸低下における該検出を前記示すことが、さらに、閉塞性を示している該フロー制限の測定値にも基づいている、装置。
【０１１３】
測定された呼吸可能ガスのフローから呼吸低下を分類するようにプロセッサを制御するための方法において、測定された呼吸可能ガスのフローから呼吸低下事象を検出するステップと、該呼吸低下事象とともに発生する、該測定されたフローにおける閉塞性を示す測定値を判定するステップと、閉塞性を示す該測定値を判定する該ステップに基づいて、該検出された呼吸低下事象を、閉塞性あるいは中枢性に分類するステップと、を含んでいる、方法。
【０１１４】
前述した段落のいずれかの方法において、該判定ステップが、部分的な閉塞を検出するステップを含んでおり、該分類ステップが、閉塞性の呼吸低下事象を記録するステップを含んでいる、方法。
【０１１５】
前述した段落のいずれかの方法において、呼吸の欠如を検出するステップをさらに含んでおり、該分類ステップが、中枢性の呼吸低下事象を記録するステップを含んでいる、方法。
【０１１６】
前述した段落のいずれかの方法において、検出された別の呼吸低下事象とともに発生する呼吸の欠如を検出するステップと、該検出された呼吸の欠如に基づいて、該検出された別の呼吸低下事象を記録することを回避するステップと、をさらに含んでいる、方法。
【０１１７】
呼吸低下検出装置において、測定された呼吸可能ガスのフローを表すデータにアクセスするための、少なくとも１つのプロセッサを有するコントローラを備えており、このコントローラが、さらに、該測定された呼吸可能ガスのフローを表す該データから、呼吸低下事象を検出するステップと、該測定されたフローを表す該データにおいて、該呼吸低下事象とともに発生する閉塞性を示す測定値を判定するステップと、該閉塞性を示す測定値を判定する該ステップに基づいて、該検出された呼吸低下事象を、閉塞性あるいは中枢性に分類するステップと、を制御するように構成されている、装置。
【０１１８】
前述した段落のいずれかの装置において、該判定ステップが、部分的な閉塞を検出し、該分類ステップが、閉塞性の呼吸低下事象を記録するステップを含んでいる、装置。
【０１１９】
前述した段落のいずれかの装置において、該コントローラが、さらに、呼吸の欠如を検出するステップを制御するように構成されており、該分類ステップが、中枢性の呼吸低下事象を記録するステップを含んでいる、装置。
【０１２０】
前述した段落のいずれかの装置において、該コントローラが、さらに、検出された別の呼吸低下事象とともに発生する呼吸の欠如を検出するとともに、該検出された呼吸の欠如に基づいて、該検出された別の呼吸低下事象を記録することを回避するように構成されている、装置。
【０１２１】
前述した段落のいずれかの装置において、患者のために大気圧よりも高い圧力を有する呼吸可能ガスを生成するように構成されているフロー生成器、および、フローセンサをさ
らに備えており、該コントローラが、さらに、該フローセンサを用いて、該呼吸可能ガスのフローを測定するように構成されているとともに、該検出された呼吸低下に基づいて、圧力治療レジメンにしたがって該呼吸可能ガスを生成するように、該フロー生成器を制御するように構成されている、装置。
【図１】
2016027882.tif 000004
【図２】
2016027882.tif 000005
【図３】
2016027882.tif 000006
【図４】
2016027882.tif 000007
【図５】
2016027882.tif 000008
【図６】
2016027882.tif 000009
【図７】
2016027882.tif 000010
【手続補正書】
【提出日】平成27年10月16日(2015.10.16)
【手続補正１】
【補正対象書類名】特許請求の範囲
【補正対象項目名】全文
【補正方法】変更
【補正の内容】
【特許請求の範囲】
【請求項１】
呼吸低下検出のために、測定された呼吸可能ガスのフローを表すデータにアクセスするプロセッサを有する装置の動作方法であって、
当該方法により当該装置が、
前記測定された呼吸可能ガスのフローを表す前記データから、短期の換気量である第１の測定値を判定し、
前記測定された呼吸可能ガスのフローを表す前記データから、長期の換気量である第２の測定値を判定し、
前記第１の測定値を、それぞれ前記第２の測定値の所定の部分である第１および第２の割合と比較し、
前記第１の測定値が、第１の期間の開始と終了において前記第１の割合を下回っているとともに、前記第１の期間を通して前記第２の割合を下回ったままでいる場合に、前記比較に基づいて前記呼吸低下の検出を示すよう動作する方法。
【請求項２】
前記第１の測定値は前記データにおける短期の分散であり、前記第２の測定値は前記データにおける長期の分散である、請求項１に記載の方法。
【請求項３】
前記第１の割合が前記第２の割合よりも小さくなっており、さらに、前記第１の期間において、前記第１の測定値が前記第１の割合を超えていない場合に、呼吸低下の検出を示すステップ含んでいる、請求項１又は２のいずれかに記載の方法。
【請求項４】
前記第１の割合が前記第２の割合よりも小さくなっており、さらに、前記第１の期間において、前記第１の測定値が、前記第１の割合を超えているけれども、前記第２の割合を超えていない場合に、呼吸低下の検出を示すステップを含んでいる、請求項１又は２のいずれかに記載の方法。
【請求項５】
さらに、前記データからフロー制限の測定値を検出するステップを含んでおり、前記呼吸低下の検出を示す前記ステップが、さらに、閉塞性を示しているフロー制限の前記測定値に基づいている、請求項１又は２のいずれかに記載の方法。
【請求項６】
前記第１の測定値と前記第１の割合を比較する前記ステップは、約１０秒から１５秒間の呼吸フローデータから計算されたＲＭＳ値が、約５０秒から７０秒間の呼吸フローデータから計算されたＲＭＳ値の約５０パーセントからなる閾値を下回っているか否かの判定を示し、前記第１の期間は約３秒から８秒間である、請求項１から５のいずれかに記載の方法。
【請求項７】
前記第２の測定値と前記第２の割合を比較する前記ステップは、約１０秒から１５秒間の呼吸フローデータから計算されたＲＭＳ値が、約５０秒から７０秒間の呼吸フローデータから計算されたＲＭＳ値の約７５パーセントからなる閾値を下回っているか否かの判定を示す、請求項１から６のいずれかに記載の方法。
【請求項８】
さらに、第２の期間において、前記第１の測定値が前記第２の割合を超えるまで、さらなる呼吸低下の検出を遮断するステップを含んでいる、請求項１から７のいずれかに記載の方法。
【請求項９】
前記さらなる検出を遮断するステップは、前記第１の測定値と前記第２の割合とを比較するステップを含んでおり、この比較ステップは、約１０秒から１５秒間の呼吸フローデータから計算されたＲＭＳ値が、約５０秒から７０秒間の呼吸フローデータから計算されたＲＭＳ値の約７５パーセントからなる閾値を超えているか否かの判定を表しており、前記第２の期間が、約１０秒から２０秒間である、請求項８に記載の方法。
【請求項１０】
さらに、フローセンサを用いて測定された呼吸可能ガスのフローを判定するステップを含んでいる、請求項１から９のいずれかに記載の方法。
【請求項１１】
さらに、検出された呼吸低下に基づき、圧力治療レジメンにしたがって、患者のために大気圧よりも高い圧力を有する呼吸可能ガスを生成するようにフロー生成器を制御するステップを含んでいる、請求項１０に記載の方法。
【請求項１２】
呼吸低下検出のために、測定された呼吸可能ガスのフローを表すデータにアクセスするプロセッサを有する装置の動作方法であって、
当該方法により当該装置が、
前記測定されたフローから換気量の長期の測定値を判定し、
前記測定されたフローから換気量の短期の測定値を判定し、
換気量の前記長期の測定値の所定の割合である閾値を決定し、
換気量の前記短期の測定値と前記閾値との第１および第２の交叉部分によって区切られている領域を測定し、
前記測定された領域を用いて、前記測定された領域を第２の閾値と比較することにより、前記呼吸低下を検出するよう動作する方法。
【請求項１３】
前記領域を測定するステップは、換気量の前記短期の測定値が前記閾値を下回ったときから、前記短期の測定値が前記閾値を超えたときまでの期間における、前記閾値と前記短期の測定値との間の差異を積分するステップを含んでいる、請求項１２に記載の方法。
【請求項１４】
前記領域を測定するステップは、前記短期の測定値が前記閾値を下回ったときから、前記短期の測定値が前記閾値を超えたときまでの期間における、複数のサンプル値の差分を積算するステップを含んでおり、各サンプル値の差分は、前記閾値のサンプル値と換気量の前記短期の測定値のサンプル値との間の差異である、請求項１２に記載の方法。
【請求項１５】
前記第２の交叉部分の検出によって開始される不応期間において、さらなる呼吸低下の検出を遮断するステップを含んでいる、請求項１２〜１４のいずれかに記載の方法。
【請求項１６】
さらに、換気量の前記短期の測定値と前記閾値とを不等式によって比較することによって、前記第１の交叉部分を検出したときに、前記領域の前記測定を始動するステップを含んでいる、請求項１２に記載の方法。
【請求項１７】
前記呼吸低下の前記検出が、前記第１の交叉部分から前記第２の交叉部分までの時間が約１０秒間を超えることを条件としている、請求項１６に記載の方法。
【請求項１８】
前記換気量における前記短期の測定値が、呼吸可能ガスのフローの測定値における絶対値の半値を第１の時定数を用いてロー・パス・フィルタリングして得られる出力値を有している、請求項１２〜１７のいずれかに記載の方法。
【請求項１９】
前記換気量における前記長期の測定値が、呼吸可能ガスのフローの測定値における絶対値の半値を第２の時定数を用いてロー・パス・フィルタリングして得られる出力値を有しており、該第２の時定数が、前記第１の時定数よりも大きくなっている、請求項１８に記載の方法。
【請求項２０】
前記割合が約７０パーセントである、請求項１９に記載の方法。
【請求項２１】
さらに、前記呼吸低下の重症度を示すステップを含んでおり、前記領域の測定値が前記呼吸低下の重症度を表している、請求項１２〜２０のいずれかに記載の方法。
【請求項２２】
前記第２の閾値は、少なくとも４パーセントの血液酸素の飽和度を近似的に示すように選択されている、請求項１２〜２１のいずれかに記載の方法。
【請求項２３】
さらに、前記データからフロー制限の測定値を検出するステップを含んでおり、前記呼吸低下の検出が、さらに、閉塞性を示している該フロー制限の測定値にも基づいている、請求項１２〜２２のいずれかに記載の方法。
【請求項２４】
さらに、フローセンサを用いて、測定された呼吸可能ガスのフローを判定するステップを含んでいる、請求項１２〜２３のいずれかに記載の方法。
【請求項２５】
さらに、検出された呼吸低下に基づき、圧力治療レジメンにしたがって、患者のために大気圧よりも高い圧力を有する呼吸可能ガスを生成するようにフロー生成器を制御するステップを含んでいる、請求項２４に記載の方法。
【請求項２６】
呼吸低下検出のために、測定された呼吸可能ガスのフローを表すデータにアクセスするプロセッサを有する装置の動作方法であって、
当該方法により当該装置が、
前記データから換気量の長期の測定値を判定し、
前記データから換気量の短期の測定値を判定し、
換気量の前記長期の測定値の割合としての閾値を決定し、
換気量の前記短期の測定値および前記閾値の積分関数としての呼吸低下の範囲を計算し、
前記計算された範囲を用いて、前記呼吸低下の重症度を示すよう動作する方法であり、前記計算された範囲は呼吸低下の重症度を表している方法。
【請求項２７】
前記重症度を示すステップは、前記計算された範囲の値を出力デバイスに出力するステップを含んでいる、請求項２６に記載の方法。
【請求項２８】
前記範囲を計算するステップは、換気量における前記短期の測定値と前記閾値との第１および第２の交叉部分によって区切られている領域を計算するステップを含んでいる、請求項２６又は２７に記載の方法。
【請求項２９】
さらに、前記計算された領域を、少なくとも４パーセントの血液酸素の飽和度を近似的に示すように選択されている第２の閾値と比較するステップを含んでいる、請求項２８に記載の方法。
【請求項３０】
さらに、フローセンサを用いて、測定された呼吸可能ガスのフローを判定するステップを含んでいる、請求項２６〜２９のいずれかに記載の方法。
【請求項３１】
さらに、検出された呼吸低下に基づき、圧力治療レジメンにしたがって、患者のために大気圧よりも高い圧力を有する呼吸可能ガスを生成するようにフロー生成器を制御するステップを含んでいる、請求項２６〜３０のいずれかに記載の方法。
【請求項３２】
さらに、前記データからフロー制限の測定値を検出するステップを含んでおり、前記呼吸低下における検出を示すステップが、さらに、閉塞性を示している該フロー制限の測定値にも基づいている、請求項２６〜３１のいずれかに記載の方法。
【請求項３３】
呼吸低下検出のために、測定された呼吸可能ガスのフローを表すデータにアクセスするプロセッサを有する装置の動作方法であって、
当該方法により当該装置が、
前記測定された呼吸可能ガスのフローを表す前記データから、呼吸低下事象を検出し、
前記測定されたフローを表す前記データにおいて、前記呼吸低下事象とともに発生する閉塞性を示す測定値を判定し、
閉塞性を示す前記測定値を前記判定することに基づいて、前記検出された呼吸低下事象を、閉塞性あるいは中枢性に分類するよう動作する方法。
【請求項３４】
前記判定するステップが、部分的な閉塞を検出し、前記分類するステップが、閉塞性の呼吸低下事象を記録するステップを含んでいる、請求項３３に記載の方法。
【請求項３５】
さらに、呼吸の欠如を検出するステップを含んでおり、前記分類するステップが、中枢性の呼吸低下事象を記録するステップを含んでいる、請求項３３および３４のいずれかに記載の方法。
【請求項３６】
さらに、別の検出された呼吸低下現象とともに発生する呼吸の欠如を検出するステップと、前記検出された呼吸の欠如に基づいて、前記別の検出された呼吸低下現象を記録することを回避するステップとを含んでいる、請求項３３〜３５のいずれかに記載の方法。
【請求項３７】
さらに、フローセンサを用いて、呼吸可能ガスの前記フローを測定するステップと、
前記検出された呼吸低下に基づいて、圧力治療レジメンにしたがって、患者のために大気圧より高い圧力で呼吸可能ガスを生成するようフロー生成器を制御するステップとを含んでいる、請求項３３〜３６のいずれかに記載の方法。
【請求項３８】
測定された呼吸可能ガスのフローを表すデータにアクセスするための、少なくとも１つのプロセッサを有するコントローラを備えており、
前記コントローラが、さらに、
前記測定された呼吸可能ガスのフローを表す前記データから、呼吸低下事象を検出することと、
前記測定されたフローを表す前記データにおいて、前記呼吸低下事象とともに発生する閉塞性を示す測定値を判定することと、
閉塞性を示す前記測定値を前記判定することに基づいて、前記検出された呼吸低下事象を、閉塞性あるいは中枢性に分類することと、を制御するように構成されている、
呼吸低下検出装置。
【請求項３９】
前記判定することが、部分的な閉塞を検出し、前記分類することが、閉塞性の呼吸低下事象を記録することを含んでいる、請求項３８に記載の装置。
【請求項４０】
前記コントローラが、さらに、呼吸の欠如を検出することを制御するように構成されており、前記分類することが、中枢性の呼吸低下事象を記録することを含んでいる、請求項３８〜３９のいずれかに記載の装置。
【請求項４１】
前記コントローラが、さらに、検出された別の呼吸低下事象とともに発生する呼吸の欠如を検出するとともに、前記検出された呼吸の欠如に基づいて、前記検出された別の呼吸低下事象を記録することを回避するように構成されている、請求項３８〜４０のいずれかに記載の装置。
【請求項４２】
患者のために大気圧よりも高い圧力で呼吸可能ガスを生成するように構成されているフロー生成器と、
フローセンサとをさらに備えており、
前記コントローラが、さらに、前記フローセンサを用いて、呼吸可能ガスの前記フローを測定するように構成されているとともに、前記検出された呼吸低下に基づいて、圧力治療レジメンにしたがって前記呼吸可能ガスを生成するように、前記フロー生成器を制御するように構成されている、請求項３８〜４１のいずれかに記載の装置。